(57)【特許請求の範囲】
【請求項１】
入力信号の電気的パラメータを測定して測定データを出力する測定処理を実行する測定部と、前記測定データを記録する記録部と、時刻データを出力する内部時計と、取得した時刻補正データに基づいて前記内部時計の時刻を補正する時刻補正処理、および前記時刻データに基づいて現在時刻を特定すると共に前記測定部を制御して予め設定された時間間隔で前記測定処理を実行させて当該測定部から出力された前記測定データを前記記録部に記録させる記録処理を実行する制御部とを備えた測定データ記録装置であって、
前記制御部は、前記記録処理において、当該記録処理の開始時刻、および前記測定部に対して前記測定処理を実行させる前記時間間隔を特定可能な第１の情報を前記測定データに含ませて前記記録部に記録させると共に、前記時刻補正処理において、前記時刻補正データに対応する時刻が、前記測定部に対して最新に実行させた前記測定処理の実行時刻以前の時刻、および当該測定部に対して次に実行させる前記測定処理の実行時刻よりも後の時刻のいずれかのときに、当該時刻補正処理の開始以前に実行させた前記測定処理の前記測定データを特定可能な第２の情報と、当該時刻補正処理の完了後に最初に実行させる前記測定処理の実行時刻を特定可能な第３の情報とを前記記録部に記録させる測定データ記録装置。
【請求項２】
前記制御部は、前記第２の情報として、前記時刻補正処理によって補正される直前の前記内部時計の時刻を記録させる請求項１記載の測定データ記録装置。
【請求項３】
請求項１または２記載の測定データ記録装置と、当該測定データ記録装置から前記各測定データを回収するための測定データ回収装置とを備えている測定データ記録システム。
【請求項４】
前記測定データ回収装置は、前記測定データ記録装置に前記時刻補正データを送信可能に構成され、
前記測定データ記録装置は、前記測定データ回収装置から前記時刻補正データが送信されたときに前記時刻補正処理を開始する請求項３記載の測定データ記録システム。
【発明の詳細な説明】
【技術分野】
【０００１】
本発明は、測定処理を実行して測定データを記録部に記録する測定データ記録装置、および測定データ記録装置と測定データ回収装置とを備えた測定データ記録システムに関するものである。
【背景技術】
【０００２】
この種の測定データ記録装置を備えた測定データ記録システムとして、特開平７−１３１５４４号公報に遠隔監視システム（以下、「監視システム」ともいう）が開示されている。この監視システムは、監視対象体についての測定処理（上記公開公報における「計測処理」）を指定時刻に実行する複数の測定データ記録装置（上記公開公報における「リモート装置」）と、各測定データ記録装置を統括管理するセンタ装置とを備えて構成されている。この場合、各測定データ記録装置は、測定処理によって取得した測定データ（上記公開公報における「日報データ」）を測定処理の実行時刻に関連付けて記録するメモリを備え、センタ装置からの要求に応じてメモリから測定データを読み出してセンタ装置に送信する構成が採用されている。また、この監視システムでは、各測定データ記録装置毎の時刻のばらつきを補正するために、センタ装置が、測定データの送信要求時に各測定データ記録装置に対して時刻データを送信し、各測定データ記録装置が、送信された時刻データに基づいて内部時計の時刻を補正する処理を実行する構成が採用されている。
【０００３】
この場合、一例として、所定の測定データ記録装置に対して例えば毎正時に測定処理を実行するように設定されている状態において、その測定データ記録装置の時刻が進んでいたために時刻補正処理によって前回の測定処理の実行時刻よりも前の時刻に補正したときには、時刻補正処理後において、既に測定処理が完了して測定データが記録されている時刻についての測定処理が再び実行されて、測定データが重複して記録された状態となる。したがって、この監視システムでは、既に測定処理が完了している時刻よりも前の時刻に内部時計の時刻を戻す時刻補正が必要なときに、時刻補正処理を実行した後の測定処理において、その測定データを、直前に実行した測定処理時の測定データを記録したアドレスに上書きすることにより、同じ時刻についての測定データが重複して記録された状態（同一時刻の測定データが２つ存在する状態）となるのを回避する構成が採用されている。
【０００４】
一方、測定データ記録装置の時刻が遅れていたために時刻補正処理によって次回の測定処理を実行すべき時刻よりも後の時刻に補正したときには、測定処理が未実行の時刻が生じてその未実行の時刻についての測定データが欠落した状態となる。したがって、この監視システムでは、次回の測定処理の実行時刻よりも後の時刻に内部時計の時刻を進める時刻補正が必要なときに、時刻補正処理に先立って測定処理を実行して、その測定データをメモリに記録した後に時刻補正処理を実行することにより、測定データが欠落する事態を回避する構成が採用されている。このように、従来の監視システムでは、測定データの重複や欠落を招くことなく、各測定データ記録装置の時刻とセンタ装置の時刻とを一致させる構成が採用されている。
【先行技術文献】
【特許文献】
【０００５】
【特許文献１】特開平７−１３１５４４号公報（第３−４頁、第１−８図）
【発明の概要】
【発明が解決しようとする課題】
【０００６】
ところが、従来の測定データ記録装置および監視システムには、以下の問題点が存在する。すなわち、従来の監視システムでは、測定データ記録装置が測定処理の実行時刻に関連付けて測定データを記録する構成が採用されている。この場合、この種の測定データ記録システムの用途としては、従来の監視システムのように１日数回程度の時間間隔で測定処理を実行させて測定データを記録させるといった用途（メモリに記録させる測定データの数が比較的少数である使用形態）だけでなく、例えば数分間隔で測定処理を実行させて測定データを記録させるといった用途（メモリに記録させる測定データの数が比較的多数である使用形態）も存在する。
【０００７】
しかしながら、数分間隔での測定処理の実行に際して、従来の監視システムにおける測定データ記録装置のように、測定処理を実行する都度、その測定処理の実行時刻（以下、「測定時刻」ともいう）に関連付けて測定データを記録した場合には、測定処理の実行回数分の測定時刻のデータ（以下、「測定時刻データ」ともいう）がメモリに記録されて、この数多くの測定時刻データの記録によってメモリの記憶可能容量が減少することとなる。したがって、従来の監視システムでは、比較的短い時間間隔で測定処理を実行して数多くの測定データをメモリに記録するためには、記憶容量が大きいメモリを搭載する必要があり、これに起因して、その製造コストの低減が困難になっているという問題点がある。また、従来の監視システムでは、測定処理毎に、測定時刻を関連付けた（測定時刻データが一体となった）サイズが大きい測定データが測定データ記録装置によって生成されるため、このサイズが大きい測定データを測定データ記録装置からセンタ装置に送信するのに長時間を要するという問題点もある。
【０００８】
一方、上記の問題点を解決すべく、例えば、各測定処理時には、上記の測定時刻データを個別的に記録せずに、各測定処理の結果だけを測定データとしてそれぞれ記録する（測定データを測定時刻に関連付けずに記録する）と共に、これらの測定データに関連付けて、最初の測定処理の実行時刻（一連の測定処理の開始時刻）と、各測定処理を実行する時間間隔とを記録する構成の測定データ記録装置が提案されている。このような構成を採用することにより、各測定処理毎に測定時刻データが記録される従来の監視システムにおける測定データ記録装置と比較して、数多くの測定処理を実行した場合においても、多数の測定時刻データの記録によってメモリの記憶可能容量が過剰に減少する事態が回避される。しかしながら、このような構成を採用した測定データ記録装置では、時刻補正に際して測定データの欠落や重複が生じるのを回避するために従来の監視システムにおける測定データ記録装置と同様の記録手順を採用したときに、時刻補正後に実行した測定処理の測定データが、実際の測定時刻とは相違する時刻の測定データとして扱われる事態を招くことがあるという問題点が存在する。
【０００９】
具体的には、従来の監視システムにおける測定データ記録装置と同様の記録手順で測定データを記録する測定データ記録装置に対して、例えば２分間隔で測定処理を実行する旨の動作条件が設定され（測定処理を実行すべき時間間隔が２分の例）、かつ、この測定データ記録装置に４分の進みが生じている状態において、例えば測定処理の完了後１分が経過した時点において測定データ記録装置の時刻を４分戻したときには、この時刻補正処理後に最初に実行される測定処理（「時刻補正処理の直前に実行された測定処理の２分前に実行された測定処理」と同じ時刻に対応して実行される測定処理）によって生成される測定データが、時刻補正処理の直前に実行された測定処理の測定データのアドレスに上書きされる。より具体的には、例えば、時刻補正処理に際して０７：０５を０７：０１に補正する場合には、０７：０４までの測定データが既に記録された状態となっている。このため、時刻補正処理後の０７：０２に実行される測定処理の測定データは、時刻補正処理前の０７：０４に実行された測定処理の測定データのアドレスに上書きされることとなる。
【００１０】
したがって、この例では、「時刻補正処理の３分前」に対応する時刻（０７：０２）の測定データが重複して記録されこととなる。このため、この例では、一連の測定処理が完了した時点において、最初の測定処理を実行した時刻（一連の測定処理の開始時刻）と、各測定処理を実行する時間間隔とに基づいて各測定データの測定時刻を特定したときに、時刻補正後に実行した各測定処理の測定データのすべてが、実際の測定時刻（補正後の時刻）に対する２分後の測定時刻の測定データとして扱われることとなる。具体的には、時刻補正処理後に最初に実行された測定処理の測定データは、実際には、０７：０２に実行された測定処理の測定データであるにも拘わらず、時刻補正処理前の０７：０２に実行された測定処理の測定データが重複して存在することに起因して、０７：０４に実行された測定処理の測定データとして扱われることとなる。また、時刻補正処理後の０７：０４に実行された測定処理の測定データは、時刻補正処理後の０７：０２に実行された測定処理の測定データが０７：０４に実行された測定処理の測定データとして扱われることに起因して、０７：０６に実行された測定処理の測定データとして扱われることとなる。さらに、時刻補正処理後の０７：０６以降、２分間隔で繰り返して実行された各測定処理の測定データについても、測定処理が実際に実行された時刻の２分後の測定データとして扱われることとなる。
【００１１】
また、従来の監視システムにおける測定データ記録装置と同様の記録手順で測定データを記録する測定データ記録装置に対して、例えば２分間隔で測定処理を実行する旨の動作条件が設定され（測定処理を実行すべき時間間隔が２分の例）、かつ、この測定データ記録装置が４分の遅れが生じている状態において、例えば測定処理の完了後１分が経過した時点において時刻補正処理を実行する場合には、測定データ記録装置を４分進めることで未実施となる測定処理の回数が２回であるにも拘わらす、時刻補正処理の開始に先立って実行される測定処理が１回だけのため、１回分の測定データが欠落した状態となる。したがって、この例では、一連の測定処理が完了した時点において、最初の測定処理を実行した時刻（一連の測定処理の開始時刻）と、各測定処理を実行する時間間隔とに基づいて各測定データの測定時刻を特定したときに、時刻補正後に実行した各測定処理の測定データのすべてが、実際の測定時刻（補正後の時刻）に対する２分前の測定時刻の測定データとして扱われることとなる。
【００１２】
具体的には、例えば、時刻補正処理に際して０７：０１を０７：０５に補正する場合には、０７：００までの測定データが既に記録された状態となっている。このため、時刻補正処理に際して実行される測定処理の測定データは、後に、０７：０２に実行された測定処理の測定データとして扱われることとなる。また、時刻補正処理後に最初に実行された測定処理の測定データは、時刻補正処理に際して実行された測定処理の測定データが０７：０２に実行された測定処理の測定データとして取り扱われることに起因して、実際には、０７：０６に実行された測定処理の測定データであるにも拘わらす、０７：０４に実行された測定処理の測定データとして扱われることとなる。同様にして、時刻補正処理後の０７：０８以降、２分間隔で繰り返して実行された各測定処理の測定データについても、測定処理が実際に実行された時刻の２分前の測定データとして扱われることとなる。
【００１３】
さらに、この種の測定データ記録装置では、電源遮断時における測定データの消失を回避するために、測定データを記録するメモリとして、フラッシュメモリ（不揮発性のメモリの一例）を採用することがある。この場合、フラッシュメモリは、測定データ等の記録データをブロック単位で読み書きする構成が採用されている。したがって、この種の測定データ記録装置において測定データを記録するためのメモリをフラッシュメモリで構成したときには、所望の測定データだけを上書きすることができないため、上書きしようとする測定データが記録されているブロック中のすべての測定データの読み出しおよび書き込みを実行する必要がある。このため、この種の測定データ記録装置において測定データを記録するためのメモリとしてフラッシュメモリを採用し、かつ、従来の監視システムにおける測定データ記録装置のような記録手順で測定データを記録する構成を採用する場合には、測定データの記録処理が煩雑化することとなる。
【００１４】
本発明は、かかる問題点に鑑みてなされたものであり、実際の測定時刻とは相違する時刻の測定データとして扱われる事態や、測定データの記録処理が煩雑化する事態を招くことなく、製造コストの低減、および測定データの送信に要する時間の短縮を図り得る測定データ記録装置および測定データ記録システムを提供することを主目的とする。
【課題を解決するための手段】
【００１５】
上記目的を達成すべく請求項１記載の測定データ記録装置は、入力信号の電気的パラメータを測定して測定データを出力する測定処理を実行する測定部と、前記測定データを記録する記録部と、時刻データを出力する内部時計と、取得した時刻補正データに基づいて前記内部時計の時刻を補正する時刻補正処理、および前記時刻データに基づいて現在時刻を特定すると共に前記測定部を制御して予め設定された時間間隔で前記測定処理を実行させて当該測定部から出力された前記測定データを前記記録部に記録させる記録処理を実行する制御部とを備えた測定データ記録装置であって、前記制御部が、前記記録処理において、当該記録処理の開始時刻、および前記測定部に対して前記測定処理を実行させる前記時間間隔を特定可能な第１の情報を前記測定データに含ませて前記記録部に記録させると共に、前記時刻補正処理において、前記時刻補正データに対応する時刻が、前記測定部に対して最新に実行させた前記測定処理の実行時刻以前の時刻、および当該測定部に対して次に実行させる前記測定処理の実行時刻よりも後の時刻のいずれかのときに、当該時刻補正処理の開始以前に実行させた前記測定処理の前記測定データを特定可能な第２の情報と、当該時刻補正処理の完了後に最初に実行させる前記測定処理の実行時刻を特定可能な第３の情報とを前記記録部に記録させる。
【００１６】
また、請求項２記載の測定データ記録装置は、請求項１記載の測定データ記録装置において、前記制御部が、前記第２の情報として、前記時刻補正処理によって補正される直前の前記内部時計の時刻を記録させる。
【００１７】
また、請求項３記載の測定データ記録システムは、請求項１または２記載の測定データ記録装置と、当該測定データ記録装置から前記各測定データを回収するための測定データ回収装置とを備えている。
【００１８】
さらに、請求項４記載の測定データ記録システムは、請求項３記載の測定データ記録システムにおいて、前記測定データ回収装置が、前記測定データ記録装置に前記時刻補正データを送信可能に構成され、前記測定データ記録装置が、前記測定データ回収装置から前記時刻補正データが送信されたときに前記時刻補正処理を開始する。
【発明の効果】
【００１９】
請求項１記載の測定データ記録装置では、制御部が、測定データの記録処理において、記録処理の開始時刻、および測定部に対して測定処理を実行させる時間間隔を特定可能な第１の情報を測定データに含ませて記録部に記録させると共に、時刻補正処理において、時刻補正データに対応する時刻が、測定部に対して最新に実行させた測定処理の実行時刻以前の時刻、および測定部に対して次に実行させる測定処理の実行時刻よりも後の時刻のいずれかのときに、時刻補正処理の開始以前に実行させた測定処理の測定データを特定可能な第２の情報と、時刻補正処理の完了後に最初に実行させる測定処理の実行時刻を特定可能な第３の情報とを記録部に記録させる。また、請求項３記載の測定データ記録システムは、請求項１または２記載の測定データ記録装置と、測定データ記録装置から各測定データを回収するための測定データ回収装置とを備えている。
【００２０】
したがって、請求項１記載の測定データ記録装置、および請求項３記載の測定データ記録システムによれば、測定処理の実行回数分の数多くの測定時刻データがメモリに記録される従来の監視システムにおける測定データ記録装置とは異なり、記録処理の開始時刻および測定処理の時間間隔を特定可能な第１の情報と、時刻補正処理の開始以前に実行させた測定処理の測定データを特定可能な第２の情報とを記録部に記録しておくことで、これらの情報をパーソナルコンピュータなどの「時刻の計算が可能な各種装置」（一例として、測定データ回収装置）に対して測定データと共に送信するか、または、リムーバブルメディアを介して引き渡すだけで、各測定処理毎の測定データを正確な測定時刻に関連付けて参照させることができる。このため、例えば数分間隔で測定処理を実行させて数多くの測定データを記録させる場合においても、測定データの測定時刻を特定させるための情報の記録によって記録部の記録可能容量が過剰に減少することがないため、記録容量が大きい記録部が不要となる結果、その製造コストを十分に低減することができる。また、これらの各データを測定データ回収装置等に対して送信する場合には、送信に要する時間を短縮することができる。また、測定データ記録装置による記録処理において測定データの上書きを実行しないため、測定データの記録処理が煩雑化する事態を回避することができる。
【００２１】
請求項２記載の測定データ記録装置によれば、第２の情報として、時刻補正処理によって補正される直前の内部時計の時刻を記録させることにより、比較的小さなサイズのデータ（補正前の時刻を特定可能なデータ）によって時刻補正処理の開始以前に実行させた測定処理の測定データを確実に特定させることができる。
【００２２】
請求項４記載の測定データ記録システムによれば、測定データ記録装置に時刻補正データを送信可能に測定データ回収装置を構成すると共に、測定データ回収装置から時刻補正データが送信されたときに時刻補正処理を開始するように測定データ記録装置を構成したことにより、例えば、測定データ回収装置と、測定データ記録装置に対して時刻補正データを送信して時刻補正処理を実行させる専用の装置（測定データ回収装置以外の装置）とを別個に用意して構成した測定データ記録システムとは異なり、測定データ回収装置を携行するだけで、測定データ記録装置の時刻の補正、および測定データ記録装置からの測定データ等の回収の双方を実行することができる。
【図面の簡単な説明】
【００２３】
【図１】測定データ記録システム１００（測定データ記録装置１および測定データ回収装置２）のブロック図である。
【図２】測定データ記録装置１によって実行される時刻補正処理３０のフローチャートである。
【図３】測定データ回収装置２によって実行される測定データ回収処理４０のフローチャートである。
【図４】測定データ回収処理４０における測定データ記録処理５０のフローチャートである。
【図５】測定データ記録装置１の内部時計１２に遅れが生じた状態について説明するための説明図である。
【図６】測定データＤ１および補正処理結果データＤ２の一例を示すデータ構造図である。
【図７】測定データＤ１０の一例を示すデータ構造図である。
【図８】測定データ記録装置１の内部時計１２に進みが生じた状態について説明するための説明図である。
【図９】測定データＤ１および補正処理結果データＤ２の他の一例を示すデータ構造図である。
【図１０】測定データＤ１０の他の一例を示すデータ構造図である。
【発明を実施するための形態】
【００２４】
以下、本発明に係る測定データ記録装置および測定データ記録システムの実施の形態について、添付図面を参照して説明する。
【００２５】
図１に示すように、測定データ記録システム１００は、測定データ記録装置１および測定データ回収装置２を備えて構成されている。なお、この測定データ記録システム１００は、複数台の測定データ記録装置１を備えて構成することもできるが、理解を容易とするために、１台の測定データ記録装置１と１台の測定データ回収装置２とで構成した例（１台の測定データ記録装置１と１台の測定データ回収装置２とを使用して測定データを記録する例）について以下に説明する。
【００２６】
測定データ記録装置１は、測定部１１、内部時計１２、内部メモリ１３、通信部１４、外部メモリ装着部１５、操作部１６、表示部１７および制御部１８を備えている。測定部１１は、入力信号の電気的パラメータを測定して測定データＤｓを出力する測定処理を実行する。具体的には、測定部１１は、一例として、図示しない温度センサに接続されると共に、周囲の温度の変化に応じて温度センサによって入力された信号の電気的パラメータ（温度センサに接続された一対の信号ケーブル間の電圧値）を測定して測定データＤｓとして出力する。内部時計１２は、現在時刻を計時して時刻データＤｔ１を出力する。内部メモリ１３は、記録部の一例であって、一例としてフラッシュメモリで構成されると共に、後述するように制御部１８の制御に従って測定データＤ１や補正処理結果データＤ２（図６，９参照）を記録する。
【００２７】
通信部１４は、後述するようにして、測定データ回収装置２から送信された時刻補正データＤｔ０や送信要求信号Ｓ０を受信して制御部１８に転送すると共に、制御部１８の制御に従って測定データＤ１や補正処理結果データＤ２を測定データ回収装置２に送信する。外部メモリ装着部１５は、既存のメモリカードＭ（リムーバブルメモリ）を装着可能に構成されると共に、制御部１８の制御に従い、装着されたメモリカードＭに対する各種記録データの記録および読み出しを実行する。操作部１６は、測定データＤ１の記録処理を開始／停止するためのスタート／ストップスイッチや測定データ記録装置１の動作条件を設定するための各種操作スイッチを備え、スイッチ操作に応じた操作信号を制御部１８に出力する。表示部１７は、一例として液晶表示パネルを備え、制御部１８の制御に従い、測定結果や、測定データ記録装置１の動作状態などの各種の文字情報を表示する。
【００２８】
制御部１８は、測定データ記録装置１を総括的に制御する。具体的には、制御部１８は、測定データ回収装置２から送信されて通信部１４によって受信された時刻補正データＤｔ０（「取得した時刻補正データ」の一例）に基づいて内部時計１２の時刻を補正する時刻補正処理３０（図２参照）を実行する。また、制御部１８は、内部時計１２から出力された時刻データＤｔ１に基づいて現在時刻を特定すると共に、測定部１１を制御して予め設定された時間間隔で測定処理を実行させる。さらに、制御部１８は、測定処理によって測定部１１から出力された測定データＤｓに基づいて測定データ記録装置１の周囲（温度センサの周囲）の温度を演算して測定データを生成し、生成した測定データを測定データＤ１各レコードに順次追記して内部メモリ１３に記録させる記録処理を実行する。なお、以下の説明においては、測定データＤｓに基づいて演算した測定データと、この測定データを順次追記した測定データＤ１とを区別するために、上記の「演算した測定データ」を「測定値」ともいう。
【００２９】
この場合、制御部１８は、記録処理において、記録処理の開始時刻、および測定部１１に対して測定処理を実行させる時間間隔を特定可能な情報（第１の情報）を上記の測定データＤ１に含ませて内部メモリ１３に記録させる。なお、測定データＤ１の各レコードに測定値を順次追記する構成に代えて、内部メモリ１３内にリングバッファ形式で最新の所定数の測定値を順次記録する複数の記録領域を規定し、この記録領域内に先入れ先出し法に従って測定値を順次記録する構成を採用することもできる。また、制御部１８は、時刻補正処理において、時刻補正データに対応する時刻が、測定部１１に対して最新に実行させた測定処理の実行時刻以前の時刻、および測定部１１に対して次に実行させる測定処理の実行時刻よりも後の時刻のいずれかのときに、時刻補正処理の開始以前に実行させた各測定処理の測定値を特定可能な情報（第２の情報：一例として、時刻補正処理によって補正される直前の内部時計１２の時刻）と、時刻補正処理の完了後に最初に実行させる測定処理の実行時刻を特定可能な情報（第３の情報）とを記録した補正処理結果データＤ２（図６，９参照）を内部メモリ１３に記録させる。
【００３０】
一方、測定データ回収装置２は、ハードディスクドライブ２１、内部時計２２、内部メモリ２３、通信部２４、外部メモリ装着部２５、操作部２６、表示部２７および制御部２８を備えている。ハードディスクドライブ２１は、後述するようにして測定データ記録装置１から送信された測定データＤ１および補正処理結果データＤ２に基づいて制御部２８によって生成された測定データＤ１０（測定データ記録装置１から回収した「測定データＤ１の測定値」を整理した測定データＤ１０）を記録する。内部時計２２は、現在時刻を計時して時刻データＤｔ２を出力する。内部メモリ２３は、測定データ記録装置１から送信された測定データＤ１および補正処理結果データＤ２や、制御部２８の演算結果を一時的に記憶する。
【００３１】
通信部２４は、後述するようにして、制御部２８の制御に従って時刻補正データＤｔ０や送信要求信号Ｓ０を測定データ記録装置１に送信すると共に、測定データ記録装置１から送信された測定データＤ１や補正処理結果データＤ２を受信して制御部２８に転送する。外部メモリ装着部２５は、測定データ記録装置１の外部メモリ装着部１５と同様にして、既存のメモリカードＭ（リムーバブルメモリ）を装着可能に構成されると共に、制御部２８の制御に従い、装着されたメモリカードＭに対する各種記録データの記録および読み出しを実行する。操作部２６は、キーボードと、マウスなどのポインティングデバイスで構成されて、これらの操作に応じた操作信号を制御部２８に出力する。表示部２７は、一例として液晶表示パネルを備え、制御部２８の制御に従って各種表示画面を表示する。
【００３２】
制御部２８は、測定データ回収装置２を総括的に制御する。具体的には、制御部２８は、内部時計２２から取得した時刻データＤｔ２基づき、測定データ記録装置１の内部時計１２の時刻を補正するための時刻補正データＤｔ０を生成する。また、制御部２８は、通信部２４を制御して、測定データ記録装置１に時刻補正データＤｔ０を送信させる。さらに、制御部２８は、通信部２４を制御して測定データ記録装置１に送信要求信号Ｓ０を送信させると共に、測定データ記録装置１から送信された（通信部２４によって受信された）測定データＤ１および補正処理結果データＤ２に基づいて測定データＤ１０を生成してハードディスクドライブ２１に記録させる。この場合、測定データ回収装置２は、一例として携帯型のパーソナルコンピュータで構成されている。なお、測定データ回収装置２に代えて、専用の測定データ回収装置（パーソナルコンピュータ等の汎用の装置を利用しない構成）を採用して測定データ記録システムを構成することもできる。
【００３３】
この測定データ記録システム１００によって測定対象体の温度を所定時間間隔で測定して記録する（記録処理を実行させる）際には、一例として、測定データ記録装置１の操作部１６を操作して、記録処理の開始時刻、および測定時間間隔を設定する。この際には、一例として、「０７：００（午前７時）」から「２分間隔」で「３０分間」に亘って複数回の測定処理を実行するように設定する。次いで、操作部１６のスタート／ストップスイッチを操作して記録処理を開始させる。これに応じて、制御部１８が、図６，９に示すように、一例として、測定データＤ１のヘッダ情報の一部として、記録処理の開始時刻（この例では、「ＹＹＹＹ年ＭＭ月ＤＤ日の０７：００」）と、測定処理の時間間隔（この例では、「００：０２（２分）」）とを特定可能な情報（第１の情報）を生成して、この測定データＤ１を内部メモリ１３に記録させる。同時に、制御部１８は、内部時計１２から出力される時刻データＤｔ１に基づいて現在時刻を特定して「０７：００」が到来したか否かの監視を開始する。
【００３４】
また、「０７：００」が到来したときには、制御部１８は、測定部１１を制御して１回目の測定処理を実行させる。この際に、測定部１１は、温度センサに接続された一対の信号ケーブル間の電圧値）を測定して測定データＤｓとして出力する。また、制御部１８は、測定部１１から出力された測定データＤｓに基づいて測定データ記録装置１の周囲（温度センサの周囲）の温度を演算し、図５，６，８，９に示すように、演算結果（測定値：この例では「２０．１℃」）を内部メモリ１３内の測定データＤ１の第１レコードに追記する（１回目の測定処理の完了）。次いで、制御部１８は、内部時計１２から出力される時刻データＤｔ１に基づいて現在時刻を特定して次の測定処理の実行時刻（この例では、「０７：０２」）の到来を監視する。また、「０７：０２」が到来したときには、制御部１８は、測定部１１を制御して２回目の測定処理を実行させる。これにより、１回目の測定処理時と同様にして測定部１１から出力された測定データＤｓに基づいて制御部１８によって周囲の温度が演算され、図５，６，８，９に示すように、演算結果（測定値：この例では「２０．５℃」）が内部メモリ１３内の測定データＤ１の第２レコードに追記される（２回目の測定処理の完了）。
【００３５】
一方、この測定データ記録システム１００では、測定データ記録装置１の内部時計１２の時刻を測定データ回収装置２の内部時計２２の時刻に合わせるようにして補正することが可能となっている。具体的には、時刻補正すべき測定データ記録装置１と測定データ回収装置２とを通信可能状態に接続した後に（測定データ記録装置１の通信部１４と測定データ回収装置２の通信部２４との接続を確立した後に）、測定データ回収装置２の操作部２６を操作して、時刻補正の開始を指示する。この際に、測定データ回収装置２の制御部２８は、内部時計２２から出力された時刻データＤｔ２に基づいて時刻補正データＤｔ０を生成すると共に、通信部２４を制御して時刻補正データＤｔ０を測定データ記録装置１に送信させる。
【００３６】
また、測定データ記録装置１の制御部１８は、測定データ回収装置２から送信された時刻補正データＤｔ０が通信部１４によって受信されたときに（「時刻補正データが送信されたとき」の一例）、図２に示す時刻補正処理３０を開始する。この時刻補正処理３０では、制御部１８は、まず、内部時計１２から出力された時刻データＤｔ１に基づいて現在時刻を特定する（ステップ３１）。次いで、制御部１８は、内部時計１２の時刻を測定データ回収装置２から送信された時刻補正データＤｔ０に対応する時刻に補正した場合に、内部メモリ１３に記録すべき測定値の欠落または重複が生じるか否かを判別する（ステップ３２）。
【００３７】
具体的には、一例として、図５に示すように、内部時計１２の時刻（補正前の時刻）が「０７：０３」の時点において測定データ回収装置２から時刻補正データＤｔ０が送信され、この時刻補正データＤｔ０が「現在時刻を０７：０７に補正せよ」との内容であったものとする（内部時計１２の時刻に４分の遅れが生じている状態の例）。この例では、内部時計１２の時刻を「０７：０３」から「０７：０７」に進める補正を行うことにより、２回目の測定処理（実行時刻が「０７：０２」の測定処理）の次に実行すべき３回目の測定処理（実行時刻が「０７：０４」の測定処理）と、その次に実行すべき４回目の測定処理（実行時刻が「０７：０６」の測定処理）との２回の測定処理が実行されないこととなる（「時刻補正データに対応する時刻が、次に実行させる測定処理の実行時刻よりも後の時刻のとき」との状態の一例）。したがって、制御部１８は、時刻補正データＤｔ０に対応する時刻に補正した場合に、内部メモリ１３に記録すべき各測定値に２回の測定処理分の欠落が生じると判別する。
【００３８】
この際に、制御部１８は、図６に示すように、欠落が生じると判別した時点における内部時計１２の時刻（現在時刻：「第２の情報」の一例：この例では、「ＹＹＹＹ年ＭＭ月ＤＤ日０７：０３」）と、時刻補正処理３０の完了後に測定部１１に対して最初に実行させる測定処理の実行時刻（「第３の情報」の一例：この例では、「ＹＹＹＹ年ＭＭ月ＤＤ日０７：０８」）とを第１レコードに記録した補正処理結果データＤ２を生成して内部メモリ１３に記録させる（ステップ３３）。次いで、制御部１８は、内部時計１２の時刻を時刻補正データＤｔ０に対応する時刻に補正し（ステップ３４）、この時刻補正処理３０を終了する。これにより、内部時計１２の時刻が測定データ回収装置２における内部時計２２の時刻と同期されて「０７：０７」に補正され、測定データ記録装置１の時刻補正が完了する。
【００３９】
また、時刻補正処理３０の完了後に「０７：０８」が到来したときには、制御部１８は、測定部１１を制御して３回目の測定処理を実行させる。これにより、１回目および２回目の測定処理時と同様にして測定部１１から出力された測定データＤｓに基づいて制御部１８によって周囲の温度が演算され、図５，６に示すように、演算結果（測定値：この例では「２０．３℃」）が内部メモリ１３内の測定データＤ１の第３レコードに追記される（３回目の測定処理の完了）。この後、制御部１８は、「０７：１０」が到来したときに４回目の測定処理を実行させ、図５，６に示すように、演算結果（測定値：この例では「１９．８℃」）を内部メモリ１３内の測定データＤ１の第４レコードに追記させる。また、制御部１８は、記録処理の開始から３０分が経過した時点において最後の測定処理を測定部１１に実行させ、測定データＤｓに基づいて演算した温度（測定値）を測定データＤ１に追記して記録処理（一連の測定処理）を終了する。
【００４０】
一方、上記の例は、内部時計１２の時刻に４分の遅れが生じていた例であるが、内部時計１２の時刻に進みが生じている場合もある。具体的には、一例として、図８に示すように、内部時計１２の時刻（補正前の時刻）が「０７：０５」の時点において測定データ回収装置２から時刻補正データＤｔ０が送信され、この時刻補正データＤｔ０が「現在時刻を０７：０１に補正せよ」との内容であったものとする（内部時計１２の時刻に４分の進みが生じている状態の例）。この例では、内部時計１２の時刻を「０７：０５」から「０７：０１」に戻す補正を行うことにより、実行時刻が「０７：０２」の測定処理、および実行時刻が「０７：０４」の測定処理が時刻補正処理３０の前後においてそれぞれ実行されることとなる（「時刻補正データに対応する時刻が、最新に実行させた測定処理の実行時刻以前の時刻のとき」との状態の一例）。したがって、制御部１８は、時刻補正データＤｔ０に対応する時刻に補正した場合に、内部メモリ１３に記録すべき各測定値に２回分の測定処理分の重複が生じると判別する（ステップ３２）。
【００４１】
この際に、制御部１８は、図９に示すように、重複が生じると判別した時点における内部時計１２の時刻（現在時刻：「第２の情報」の他の一例：この例では、「ＹＹＹＹ年ＭＭ月ＤＤ日０７：０５」）と、時刻補正処理３０の完了後に測定部１１に対して最初に実行させる測定処理の実行時刻（「第３の情報」の他の一例：この例では、「ＹＹＹＹ年ＭＭ月ＤＤ日０７：０２」）とを第１レコードに記録した補正処理結果データＤ２を生成して内部メモリ１３に記録させる（ステップ３３）。次いで、制御部１８は、内部時計１２の時刻を時刻補正データＤｔ０に対応する時刻に補正し（ステップ３４）、この時刻補正処理３０を終了する。これにより、内部時計１２の時刻が測定データ回収装置２における内部時計２２の時刻と同期されて「０７：０１」に補正され、測定データ記録装置１の時刻補正が完了する。
【００４２】
また、時刻補正処理３０の完了後に「０７：０２（補正後の時刻）」が到来したときには、制御部１８は、測定部１１を制御することにより、「０７：００（補正前の時刻）」、「０７：０２（補正前の時刻）」および「０７：０４（補正前の時刻）」に次いで４回目の測定処理を実行させる。これにより、測定部１１から出力された測定データＤｓに基づいて制御部１８によって周囲の温度が演算され、図８，９に示すように、演算結果（この例では、「１９．８℃」）が内部メモリ１３内の測定データＤ１の第４レコードに追記される（４回目の測定処理の完了）。この後、制御部１８は、「０７：０４」が到来したときに５回目の測定処理を実行させ、図８，９に示すように、演算結果（測定値：この例では「１９．７℃」）を内部メモリ１３内の測定データＤ１の第５レコードに追記させる。また、制御部１８は、記録処理の開始から３０分が経過した時点において最後の測定処理を測定部１１に実行させ、測定データＤｓに基づいて演算した温度（測定値）を測定データＤ１に追記して記録処理（一連の測定処理）を終了する。
【００４３】
なお、上記の２つの例では、内部時計１２の時刻に遅れ、または、進みが生じていたが、測定データＤ１の記録処理中に測定データ回収装置２から時刻補正データＤｔ０が送信されなかったとき（時刻補正処理３０を実行しなかったとき）、および、時刻補正処理３０を実行したものの、内部時計１２の遅れや進みが極く短時間で時刻補正によって測定値の欠落や重複が生じなかったとき（補正した時間が測定時間間隔よりも短かったとき）には、上記の補正処理結果データＤ２が生成されることなく、記録処理が終了する。したがって、この測定データ記録システム１００では、内部メモリ１３内に補正処理結果データＤ２が存在するときには、測定値の欠落または重複が生じた状態であることとなり、内部メモリ１３内に補正処理結果データＤ２が存在しないときには、測定値の欠落または重複が生じていない状態であることとなる。
【００４４】
また、この測定データ記録システム１００では、測定データ記録装置１の内部メモリ１３に記録した測定データＤ１を測定データ回収装置２によって回収することが可能となっている。具体的には、測定データ回収装置２の操作部２６が操作されて測定データの回収を指示されたときに、制御部２８は、図３に示す測定データ回収処理４０を開始する。この測定データ回収処理４０では、制御部２８は、まず、通信部２４を制御して測定データ記録装置１に送信要求信号Ｓ０を送信させて、測定データＤ１や補正処理結果データＤ２を取得する（ステップ４１）。具体的には、送信要求信号Ｓ０が送信されたときに、測定データ記録装置１の制御部１８が、内部メモリ１３から測定データＤ１および補正処理結果データＤ２を読み出して通信部１４から測定データ回収装置２に送信させる。この際に、上記したように補正処理結果データＤ２が内部メモリ１３に記録されていないときには、制御部１８は、測定データＤ１だけを測定データ回収装置２に送信させる。
【００４５】
また、測定データ回収装置２では、制御部２８が、通信部２４によって受信された測定データＤ１や補正処理結果データＤ２を内部メモリ２３に記憶させた後に、図４に示す測定データ記録処理５０を開始する。この測定データ記録処理５０では、制御部２８は、まず、測定データ記録装置１から補正処理結果データＤ２が送信されたか否かに基づき、測定データＤ１の各レコードに記録された各測定処理毎の測定値に欠落や重複が生じているか否かを判別する（ステップ５１）。この際に、補正処理結果データＤ２が存在しなかったときには、前述したように、測定データＤ１の各レコードに記録された測定値に欠落や重複が生じていなかったこととなる。
【００４６】
したがって、制御部２８は、測定データＤ１のヘッダ情報の一部として記録されている記録処理の開始時刻（この例では、「ＹＹＹＹ年ＭＭ月ＤＤ日の０７：００」）と、測定処理の時間間隔（この例では、「００：０２（２分）」）とに基づき、測定データＤ１における第ｎレコード（この例では、「ｎ＝１」）の測定値の測定時刻（その測定値が測定された測定処理の実行時刻）を特定する（ステップ５２）。具体的には、第１レコードの測定値の測定時刻については、測定時間間隔（この例では、「２分」）に［ｎ−１（この例では、１−１＝０）］を乗じた時間（この例では、「０」）を測定開始時刻（この例では、「０７：００」）に加算した時刻（この例では、「０７：００」＋「０」＝「０７：００」）であると演算する。次いで、制御部２８は、測定データＤ１における第ｎレコードの測定値を、上記の特定した測定時刻に関連付けて、第Ｎレコード（この例では、第１レコード）の測定値として測定データＤ１０を生成し、生成した測定データＤ１０をハードディスクドライブ２１に記録して（ステップ５３）、測定データ回収処理４０に戻る。
【００４７】
また、制御部２８は、測定データＤ１の各レコードにおけるすべての測定値の測定データＤ１０としての記録が完了したか否かを判別し（ステップ４２）、この際には、第２レコード以降の測定値の記録が完了していないと判別して、測定データ記録処理５０を再び開始する。この場合、第２レコードの測定値の測定時刻については、測定時間間隔（「２分」）に［ｎ−１（この例では、２−１＝１）］を乗じた時間（この例では、「２分」）を測定開始時刻に加算した時刻（この例では、「０７：００」＋「２分」＝「０７：０２」）であると演算する。次いで、制御部２８は、測定データＤ１における第ｎレコードの測定値を、上記の特定した測定時刻に関連付けて、第Ｎレコード（この例では、第２レコード）の測定値としてハードディスクドライブ２１内の測定データＤ１０に追記して（ステップ５３）、測定データ回収処理４０に戻る。
【００４８】
この後、制御部２８は、測定データＤ１内のすべてのレコードの測定値の測定データＤ１０としての記録が完了したときに（ステップ４２）、この測定データ回収処理４０を終了する。これにより、測定データ記録装置１から取得した測定データＤ１内の各測定値が、各測定処理の実行時刻順に並んだ測定データＤ１０がハードディスクドライブ２１内に記録され、測定データ記録装置１からの測定データＤ１の回収が完了する。
【００４９】
一方、図５に示すように測定データＤ１の記録処理が実行されたことにより（記録処理中に時刻補正処理３０が実行されて内部時計１２が大きく進められたことにより）、図６に示す測定データＤ１および補正処理結果データＤ２が生成された状態において測定データ回収処理４０を開始したときには、制御部２８は、測定データＤ１や補正処理結果データＤ２を取得して内部メモリ２３に記憶させた後に（ステップ４１）、測定データ記録処理５０を開始する。この際には、制御部２８は、まず、測定データ記録装置１から補正処理結果データＤ２が送信されたか否かに基づき、測定データＤ１の各レコードに記録された各測定処理毎の測定値に欠落や重複が生じているか否かを判別する（ステップ５１）。この際には、補正処理結果データＤ２が存在するため、各測定処理毎の測定値に欠落または重複が生じていると判別する。
【００５０】
次いで、制御部２８は、測定データＤ１における第ｎレコード（この例では、「ｎ＝１」）の測定値が時刻補正処理３０の実行前に実行された測定処理の測定値であるか否かを判別する（ステップ５４）。この場合、図６に示すように、測定データ記録装置１から取得した測定データＤ１は、「ＹＹＹＹ年ＭＭ月ＤＤ日の０７：００」に記録処理が開始され、「００：０２（２分）」の時間間隔で測定処理が実行されると共に、補正処理結果データＤ２に記録されているように、時刻補正処理３０によって補正される直前の内部時計１２の時刻が「ＹＹＹＹ年ＭＭ月ＤＤ日の０７：０３」となっている。このため、取得した測定データＤ１には、時刻補正処理３０が開始された「０７：０３」までに、「０７：００」および「０７：０２」の２回に亘って測定処理が実行されて、測定データＤ１における第１レコードおよび第２レコードにこの２回の測定処理の測定値が記録されているいると特定することができる。したがって、制御部２８は、第ｎレコードの測定値が、第１レコードおよび第２レコードのいずれかに記録された測定値であるか否かに基づいて、その測定値が、時刻補正処理３０の開始前に実行された測定処理の測定値であるか否かを特定する。この際には、第ｎレコード（この例では、「ｎ＝１」）の測定値が、時刻補正処理３０の開始前に実行された測定処理の測定値であると判別する。
【００５１】
次いで、制御部２８は、第１レコードの測定値の測定時刻（その測定値が測定された測定処理の実行時刻）を特定する（ステップ５２）。具体的には、制御部２８は、記録処理の開始時刻（「０７：００」）と、測定処理の時間間隔（「００：０２（２分）」）とに基づき、測定データＤ１における第ｎレコード（この例では、「ｎ＝１」）の測定値の測定時刻を「０７：００」＋「０」＝「０７：００」であると特定する。次いで、制御部２８は、この第ｎレコードの測定値を、上記の特定した測定時刻に関連付け、図７に示すように、第Ｎレコード（この例では、第１レコード）の測定値として測定データＤ１０を生成してハードディスクドライブ２１に記録し（ステップ５３）、測定データ回収処理４０に戻る。
【００５２】
また、制御部２８は、測定データＤ１における第２レコード以降の測定値の測定データＤ１０としての記録が完了していないと判別し（ステップ４２）、測定データ記録処理５０を再び開始する。この際には、制御部２８は、測定値に欠落または重複が生じていると判別すると共に（ステップ５１）、測定データＤ１における第２レコードの測定値が、時刻補正処理３０の実行前に実行された測定処理の測定値であると判別する（ステップ５４）。次いで、制御部２８は、この第２レコードの測定値の測定時刻を「０７：０２」）であると特定する（ステップ５２）。続いて、制御部２８は、測定データＤ１における第２レコードの測定値を、上記の特定した測定時刻に関連付けて、第Ｎレコード（この例では、第２レコード）の測定値としてハードディスクドライブ２１内の測定データＤ１０に追記して（ステップ５３）、測定データ回収処理４０に戻る。
【００５３】
また、制御部２８は、測定データＤ１における第３レコード以降の測定値の測定データＤ１０としての記録が完了していないと判別し（ステップ４２）、測定データ記録処理５０を再び開始する。この際に、制御部２８は、測定値に欠落または重複が生じていると判別する（ステップ５１）。この場合、図５に示すように、測定データＤ１における第３レコードの測定値は、時刻補正処理３０後に実行された測定処理の測定値である。したがって、制御部２８は、測定データＤ１のヘッダ情報と補正処理結果データＤ２とに基づき、測定データＤ１における第３レコード以降の測定値は、時刻補正処理３０の後に実行された測定処理の測定値であると判別する（ステップ５４）。
【００５４】
次いで、制御部２８は、測定データＤ１のヘッダ情報と補正処理結果データＤ２とに基づき、時刻補正処理３０の完了後に最初に実行された測定処理の実行時刻、およびその測定値が記録されているレコード番号「ｍ」を特定する（ステップ５５）。この際に、制御部２８は、補正処理結果データＤ２に基づき、最初に実行された測定処理の実行時刻が「０７：０８」であると特定する。また、上記したように、時刻補正処理３０の前に実行した測定処理の測定値の数が、測定データＤ１における第１レコードの測定値、および第２レコードの測定値の２つであるため、制御部２８は、時刻補正処理３０の完了後に最初に実行された測定処理の測定値が記録されているレコード番号「ｍ」を「２＋１＝３」であると特定する。
【００５５】
続いて、制御部２８は、測定データＤ１における第３レコードに記録された測定値の測定時刻（その測定値が測定された測定処理の実行時刻）を特定する（ステップ５６）。具体的には、第３レコードの測定値の測定時刻については、時刻補正処理３０の完了後に最初に実行された測定処理の実行時刻（この例では「０７：０８」）に対して、測定時間間隔（この例では、「２分」）に［ｎ−ｍ（この例では、「ｎ＝３］、［ｍ＝３」のため「０」）］を乗じた時間（すなわち、この例では、「０」）を加算した時刻（この例では、「０７：０８」＋「０」＝「０７：０８」）であると演算する。次いで、制御部２８は、図７に示すように、測定データＤ１における第３レコードの測定値を、上記の特定した測定時刻に関連付けて、第Ｎレコード（この例では、第３レコード）の測定値として測定データＤ１０に追記して（ステップ５３）、測定データ回収処理４０に戻る。
【００５６】
また、制御部２８は、測定データＤ１における第４レコード以降の測定値の測定データＤ１０としての記録が完了していないと判別し（ステップ４２）、測定データ記録処理５０を再び開始すると共に、測定値に欠落または重複が生じており（ステップ５１）、第４レコードの測定値が、時刻補正処理３０後に実行された測定処理の測定値であると判別する（ステップ５４）。次いで、制御部２８は、時刻補正処理３０の完了後に最初に実行された測定処理の実行時刻、およびその測定値が記録されているレコード番号「ｍ」をそれぞれ特定した後に（ステップ５５）、第４レコードに記録された測定値の測定時刻（その測定値が測定された測定処理の実行時刻）を特定する（ステップ５６）。
【００５７】
具体的には、第４レコードの測定値の測定時刻については、時刻補正処理３０の完了後に最初に実行された測定処理の実行時刻（「０７：０８」）に対して、測定時間間隔（「２分」）に［ｎ−ｍ（この例では、４−３＝１）］を乗じた時間（この例では、「２分」）を加算した時刻（この例では、「０７：０８」＋「２分」＝「０７：１０」）であると演算する。次いで、制御部２８は、図７に示すように、測定データＤ１における第４レコードの測定値を、上記の特定した測定時刻に関連付けて、第Ｎレコード（この例では、第４レコード）の測定値として測定データＤ１０に追記して（ステップ５３）、測定データ回収処理４０に戻る。
【００５８】
この後、制御部２８は、測定データＤ１内のすべてのレコードの測定値の測定データＤ１０としての記録が完了したときに（ステップ４２）、この測定データ回収処理４０を終了する。これにより、測定データ記録装置１から取得した測定データＤ１内の各測定値が、各測定処理の実行時刻順に並んだ測定データＤ１０がハードディスクドライブ２１内に記録され、測定データ記録装置１からの測定データＤ１の回収が完了する。この場合、測定データＤ１の記録処理中に時刻補正処理３０が実行されて２回分の測定処理の測定値が欠落したこの例では、図７に示すように、測定データ回収装置２（制御部２８）による測定データ回収処理４０において、欠落した２つの測定値（この例では、「０７：０４」および「０７：０６」に実行されるべき測定処理に対応する２つの測定値）が存在しないものの、各測定値と、その測定値が測定された測定処理の実行時刻とが正確に対応付けられた測定データＤ１０がハードディスクドライブ２１に記録される。
【００５９】
一方、図８に示すように測定データＤ１の記録処理が実行されたことにより（記録処理中に時刻補正処理３０が実行されて内部時計１２の時刻が大きく戻されたことにより）、図９に示す測定データＤ１および補正処理結果データＤ２が生成された状態において測定データ回収処理４０を開始したときには、制御部２８は、測定データＤ１や補正処理結果データＤ２を取得して内部メモリ２３に記憶させた後に（ステップ４１）、測定データ記録処理５０を開始する。この際には、制御部２８は、まず、測定データ記録装置１から補正処理結果データＤ２が送信されたか否かに基づき、測定データＤ１の各レコードに記録された各測定処理毎の測定値に欠落や重複が生じているか否かを判別する（ステップ５１）。この際には、補正処理結果データＤ２が存在するため、各測定処理毎の測定値に欠落または重複が生じていると判別する。
【００６０】
次いで、制御部２８は、測定データＤ１における第ｎレコード（この例では、「ｎ＝１」）の測定値が時刻補正処理３０の実行前に実行された測定処理の測定値であるか否かを判別する（ステップ５４）。この場合、図９に示すように、測定データ記録装置１から取得した測定データＤ１は、「ＹＹＹＹ年ＭＭ月ＤＤ日の０７：００」に記録処理が開始され、「００：０２（２分）」の時間間隔で測定処理が実行されると共に、補正処理結果データＤ２に記録されているように、時刻補正処理３０によって補正される直前の内部時計１２の時刻が「ＹＹＹＹ年ＭＭ月ＤＤ日の０７：０５」となっている。このため、取得した測定データＤ１には、時刻補正処理３０が開始された「０７：０５」までに、「０７：００」、「０７：０２」および「０７：０４」の３回に亘って測定処理が実行されて、測定データＤ１における第１レコード、第２レコードおよび第３レコードにこの３回の測定処理の測定値が記録されていると特定することができる。したがって、制御部２８は、第ｎレコードの測定値が、第１〜第３レコードに記録された測定値であるか否かに基づいて、その測定値が、時刻補正処理３０の開始前に実行された測定処理の測定値であるか否かを特定する。この際には、第ｎレコード（この例では、「ｎ＝１」）の測定値が、時刻補正処理３０の開始前に実行された測定処理の測定値であると判別する。
【００６１】
続いて、制御部２８は、記録処理の開始時刻（「０７：００」）と、測定処理の時間間隔（「００：０２（２分）」）とに基づき、測定データＤ１における第ｎレコード（この例では、「ｎ＝１」）の測定値の測定時刻を「０７：００」＋「０」＝「０７：００」であると特定する（ステップ５２）。次いで、制御部２８は、この第ｎレコードの測定値を、上記の特定した測定時刻に関連付け、図１０に示すように、第Ｎレコード（この例では、第１レコード）の測定値として測定データＤ１０を生成してハードディスクドライブ２１に記録し（ステップ５３）、測定データ回収処理４０に戻る。
【００６２】
また、制御部２８は、測定データＤ１における第２レコード以降の測定値の測定データＤ１０としての記録が完了していないと判別し（ステップ４２）、測定データ記録処理５０を再び開始する。この場合、図１０に示すように、測定データＤ１における第２レコードの測定値は、上記の第１レコードの測定値の記録時と同様のステップを経て、「０７：０２」との測定時刻に関連付けられて測定データＤ１０の第２レコードに記録され、測定データＤ１における第３レコードの測定値は、上記の第１レコードや第２レコードの測定値の記録時と同様のステップを経て、「０７：０４」との測定時刻に関連付けられて測定データＤ１０の第３レコードに記録される。
【００６３】
一方、測定データＤ１における第４レコードの測定値の記録が完了していないと判別し（ステップ４２）、測定データ記録処理５０を再び開始したときには、制御部２８は、測定値に欠落または重複が生じていると判別した後に（ステップ５１）、測定データＤ１のヘッダ情報と補正処理結果データＤ２とに基づき、第４レコードの測定値は、時刻補正処理３０後に実行された測定処理の測定値であると判別する（ステップ５４）。次いで、制御部２８は、測定データＤ１のヘッダ情報と補正処理結果データＤ２とに基づき、時刻補正処理３０の完了後に最初に実行された測定処理の実行時刻、およびその測定値が記録されているレコード番号「ｍ」を特定する（ステップ５５）。この際に、制御部２８は、補正処理結果データＤ２に基づき、最初に実行された測定処理の実行時刻が「０７：０２」であると特定する。また、上記したように、時刻補正処理３０の前に実行した測定処理の測定値の数が、測定データＤ１における第１レコードの測定値、第２レコードの測定値、および第３レコードの測定値の３つであるため、制御部２８は、時刻補正処理３０の完了後に最初に実行された測定処理の測定値が記録されているレコード番号「ｍ」を「３＋１＝４」であると特定する。
【００６４】
続いて、制御部２８は、測定データＤ１における第４レコードに記録された測定値の測定時刻（その測定値が測定された測定処理の実行時刻）を特定する（ステップ５６）。具体的には、第４レコードの測定値の測定時刻については、時刻補正処理３０の完了後に最初に実行された測定処理の実行時刻（この例では、補正処理結果データＤ２に記録されている「０７：０２」）に対して、測定時間間隔（この例では、「２分」）に［ｎ−ｍ（この例では、「ｎ＝４］、［ｍ＝４」のため「０」）］を乗じた時間（すなわち、この例では、「０」）を加算した時刻（この例では、「０７：０２」＋「０」＝「０７：０２」）であると演算する。また、図１０に示すように、測定データＤ１０には、「０７：０２」に関連付けられた測定値が既に存在するため、制御部２８は、一例として、測定データＤ１における第４レコードの測定値を、上記の特定した測定時刻（「０７：０２」）に関連付けて、既に存在する「０７：０２」の測定値に上書きして（第２レコードの測定値として追記して：ステップ５３）、測定データ回収処理４０に戻る。
【００６５】
また、制御部２８は、測定データＤ１における第５レコード以降の測定値の測定データＤ１０としての記録が完了していないと判別し（ステップ４２）、測定データ記録処理５０を再び開始する。この場合、図１０に示すように、測定データＤ１における第５レコードの測定値は、上記の第４レコードの測定値の記録時と同様のステップを経て、「０７：０４」との測定時刻に関連付けられて測定データＤ１０の第３レコードに上書きされるようにして追記される。さらに、制御部２８は、測定データＤ１における第６レコード以降の測定値の測定データＤ１０としての記録が完了していないと判別し（ステップ４２）、測定データ記録処理５０を再び開始する。この際には、制御部２８は、測定値に重複が生じており（ステップ５１）、第６レコードの測定値が、時刻補正処理３０の完了後に実行された測定処理の測定値であると判別する（ステップ５４）。
【００６６】
次いで、制御部２８は、時刻補正処理３０の完了後に最初に実行された測定処理の実行時刻、およびその測定値が記録されているレコード番号「ｍ」をそれぞれ特定した後に（ステップ５５）、第６レコードに記録された測定値の測定時刻（その測定値が測定された測定処理の実行時刻）を「０７：０６」であると特定する（ステップ５６）。次いで、制御部２８は、図１０に示すように、測定データＤ１における第６レコードの測定値を、上記の特定した測定時刻に関連付けて、第Ｎレコード（この例では、第４レコード）の測定値として測定データＤ１０に追記して（ステップ５３）、測定データ回収処理４０に戻る。
【００６７】
この後、制御部２８は、測定データＤ１内のすべてのレコードの測定値の測定データＤ１０としての記録が完了したときに（ステップ４２）、この測定データ回収処理４０を終了する。これにより、測定データ記録装置１から取得した測定データＤ１内の各測定値が、各測定処理の実行時刻順に並んだ測定データＤ１０がハードディスクドライブ２１内に記録され、測定データ記録装置１からの測定データＤ１の回収が完了する。この場合、測定データＤ１の記録処理中に時刻補正処理３０が実行されて２回分の測定処理の測定値が重複したこの例では、図１０に示すように、測定データ回収装置２（制御部２８）による測定データ回収処理４０において、重複した２つの測定値（この例では、時刻補正処理３０を実行する前の「０７：０２」および「０７：０４」に実行された測定処理に対応する２つの測定値と、時刻補正処理３０の完了後の「０７：０２」および「０７：０４」に実行された測定処理に対応する２つの測定値との重複）の存在が考慮されて、一例として、時刻補正処理３０の前に測定された測定値に時刻補正処理３０の完了後に測定された測定値が上書きされて、各測定値と、その測定値が測定された測定処理の実行時刻とが正確に対応付けられた測定データＤ１０がハードディスクドライブ２１に記録される。
【００６８】
このように、この測定データ記録装置１では、制御部１８が、測定データの記録処理において、記録処理の開始時刻、および測定部１１に対して測定処理を実行させる時間間隔を特定可能な情報（第１の情報）を含ませた測定データＤ１を内部メモリ１３に記録させると共に、時刻補正処理３０において、時刻補正データＤｔ０に対応する時刻が、測定部１１に対して最新に実行させた測定処理の実行時刻以前の時刻、および測定部１１に対して次に実行させる測定処理の実行時刻よりも後の時刻のいずれかのときに、時刻補正処理３０の開始以前に実行させた測定処理の測定データを特定可能な情報（第２の情報）と、時刻補正処理３０の完了後に最初に実行させる測定処理の実行時刻を特定可能な情報（第３の情報）とを含ませた補正処理結果データＤ２を内部メモリ１３に記録させる。また、この測定データ記録システム１００は、測定データ記録装置１と、測定データ記録装置１から各測定データＤ１を回収するための測定データ回収装置２とを備えて構成されている。
【００６９】
したがって、この測定データ記録装置１、および測定データ記録装置１を備えた測定データ記録システム１００によれば、測定処理の実行回数分の数多くの測定時刻データがメモリに記録される従来の監視システムにおける測定データ記録装置とは異なり、測定データＤ１のヘッダ情報の一部として記録した記録処理の開始時刻、および測定処理の時間間隔（第１の情報）と、補正処理結果データＤ２とを内部メモリ１３に記録しておくことで、これらの情報を測定データ回収装置２等に対して測定データＤ１と共に送信するか、または、リムーバブルメディアを介して引き渡すだけで、各測定処理毎の測定値を正確な測定時刻に関連付けて参照させることができる。このため、例えば数分間隔で測定処理を実行させて数多くの測定値を記録させる場合においても、測定値の測定時刻を特定させるための情報の記録によって内部メモリ１３の記憶可能容量が過剰に減少することがないため、記憶容量が大きいメモリが不要となる結果、その製造コストを十分に低減することができる。また、これらの各データを測定データ回収装置２等に対して送信する場合には、送信に要する時間を短縮することができる。また、測定データ記録装置１による記録処理において測定データ（測定値）の上書きを実行しないため、測定データの記録処理が煩雑化する事態を回避することができる。
【００７０】
また、この測定データ記録装置１によれば、上記の第２の情報として、時刻補正処理３０によって補正される直前の内部時計１２の時刻を記録させることにより、比較的小さなサイズのデータ（補正前の時刻を特定可能なデータ）によって時刻補正処理３０の開始以前に実行させた測定処理の測定値を確実に特定させることができる。
【００７１】
さらに、この測定データ記録システム１００によれば、測定データ記録装置１に時刻補正データＤｔ０を送信可能に測定データ回収装置２を構成すると共に、測定データ回収装置２から時刻補正データＤｔ０が送信されたときに時刻補正処理３０を開始するように測定データ記録装置１を構成したことにより、例えば、測定データ回収装置２と、測定データ記録装置１に対して時刻補正データＤｔ０を送信して時刻補正処理３０を実行させる専用の装置（測定データ回収装置２以外の装置）とを別個に用意して構成した測定データ記録システムとは異なり、測定データ回収装置２を携行するだけで、測定データ記録装置１の時刻の補正、および測定データ記録装置１からの測定データＤ１等の回収の双方を実行することができる。
【００７２】
なお、測定データ回収処理４０において、測定データ記録装置１の通信部１４から送信された測定データＤ１や補正処理結果データＤ２を通信部２４によって受信して処理する例について説明したが、メモリカードＭを介して測定データＤ１や補正処理結果データＤ２を取得して処理することもできる。また、測定データ記録装置と測定データ回収装置とを通信ケーブル（図示せず）を介して相互に接続した状態において測定データ記録装置から測定データ回収装置に測定データＤ１や補正処理結果データＤ２を転送させて回収する構成や、測定データ記録装置と測定データ回収装置とを公衆回線網等の各種ネットワークを介して相互に接続した状態において測定データ記録装置から測定データ回収装置に測定データＤ１や補正処理結果データＤ２を転送させて回収する構成を採用することもできる。
【００７３】
さらに、時刻補正処理の開始以前に実行させた測定処理の測定データを特定可能な情報（第２の情報）として、時刻補正処理３０によって補正される直前の内部時計１２の時刻を補正処理結果データＤ２に記録させる例について説明したが、時刻補正処理３０を実行する直前に実行した測定処理の測定値を記録したレコード番号、および時刻補正処理３０を実行した直後に実行した測定処理の測定値を記録したレコード番号のいずれかを第２の情報として記録する構成を採用することもできる。このような構成を採用した場合においても、第２の情報として記録したレコード番号に基づいて、時刻補正処理の開始以前に実行させた測定処理の測定データを確実かつ容易に特定することができる。
【００７４】
また、時刻補正処理の完了後に最初に実行させる測定処理の実行時刻そのものを第３の情報として補正処理結果データＤ２に記録する例について説明したが、これに代えて、時刻補正処理３０による補正が完了した時点の内部時計１２の時刻（補正後の時刻）を記録する構成を採用することもできる。このような構成を採用した場合においても、第３の情報として記録した時刻に基づいて時刻補正処理の完了後に最初に実行させる測定処理の実行時刻を確実かつ容易に特定することができる。また、電気的パラメータとして温度を例に挙げて説明したが、これに限らず、電圧、電流、電力、気圧、水圧および照度などの各種パラメータの測定に適用が可能である。
【符号の説明】
【００７５】
１００  測定データ記録システム
１  測定データ記録装置
２  測定データ回収装置
１１  測定部
１２，２２  内部時計
１３，２３  内部メモリ
１８，２８  制御部
２１  ハードディスクドライブ
３０  時刻補正処理
４０  測定データ回収処理
５０  測定データ記録処理
Ｄｓ，Ｄ１，Ｄ１０  測定データ
Ｄ２  補正処理結果データ
Ｄｔ０  時刻補正データ
Ｄｔ１，Ｄｔ２  時刻データ
【図１】
0005431065.tif 000002
【図２】
0005431065.tif 000003
【図３】
0005431065.tif 000004
【図４】
0005431065.tif 000005
【図５】
0005431065.tif 000006
【図６】
0005431065.tif 000007
【図７】
0005431065.tif 000008
【図８】
0005431065.tif 000009
【図９】
0005431065.tif 000010
【図１０】
0005431065.tif 000011